(57)【要約】      （修正有）【課題】タンデム質量分析法を含む質量分析法を使用して、アンジオテンシン１の量を測定し、血漿試料中のレニン活性を測定するための方法を提供する。【解決手段】試料から精製されたアンジオテンシン１をイオン化ステップと、生成されたアンジオテンシン１イオンの量を検出するステップとを含む。その結果、検出されたアンジオテンシン１イオンの量は、試料中で生成されたアンジオテンシン１の量に関連付けられ、ならびに、試料中のレニン活性と関連付けられる。【選択図】図３
2014013258.tif 000002
【特許請求の範囲】
【請求項１】
試料中のアンジオテンシン１の量を測定するための方法であって、
（ａ）前記試料中のアンジオテンシン１をイオン化して、質量分析法によって検出可能な１つ以上のイオンを生成するステップと、
（ｂ）質量分析法によって、アンジオテンシンイオンの量を検出するステップであって、前記イオンは、４３３．０±０．５、６１９．４±０．５、６４７．４±０．５、および１２９７±０．５の質量／電荷比をもつイオンから成る群から選択されるステップと、
（ｃ）検出されたイオンの量を使用して、前記試料中のアンジオテンシン１の量を測定するステップと、
を含む方法。
【請求項２】
前記方法は、０．１ｎｇ／ｍＬ以下の定量限界を有する、請求項１に記載の方法。
【請求項３】
前記方法は、高性能液体クロマトグラフィー（ＨＰＬＣ）によって、前記試料からアンジオテンシン１を精製するステップをさらに含む、請求項１−２のいずれか１項に記載の方法。
【請求項４】
前記方法は、固相抽出カラムによって、前記試料からアンジオテンシン１を精製するステップをさらに含む、請求項１−３のいずれか１項に記載の方法。
【請求項５】
アンジオテンシン１イオンの量は、内部標準物質との比較によって、試験試料中のアンジオテンシン１の有無または量と関連付けられる、請求項１−４のいずれか１項に記載の方法。
【請求項６】
試料中のアンジオテンシン１の量を測定するための方法であって、
（ａ）前記試料中のレニンによるアンジオテンシン１の生成に好適な条件下で、レニンに対して有効ではない水安定性プロテアーゼ阻害剤と予混合された試料をインキュベーションするステップと、
（ｂ）液体クロマトグラフィーによって、前記試料中のアンジオテンシン１を精製するステップと、
（ｃ）前記試料から精製されたアンジオテンシン１をイオン化して、質量分析法によって検出可能な１つ以上のイオンを生成するステップと、
（ｄ）質量分析法によって、アンジオテンシン１イオンの量を検出するステップと、
（ｅ）検出されたイオンの量を使用して、前記試料中のアンジオテンシン１の量を測定するステップと、
を含む方法。
【請求項７】
前記方法は、０．１ｎｇ／ｍＬ以下の定量限界を有する、請求項６に記載の方法。
【請求項８】
前記アンジオテンシン１イオンは、４３３．０±０．５、６１９．４±０．５、６４７．４±０．５、および１２９７±０．５の質量／電荷比をもつイオンから成る群から選択される１つ以上のイオンを含む、請求項６−７のいずれか１項に記載の方法。
【請求項９】
前記イオン化ステップは、４３３．０±０．５の質量／電荷比をもつ前駆体イオンを生成するステップと、６１９．４±０．５および６４７．４±０．５の質量／電荷比をもつイオンから成る群から選択される、１つ以上の断片イオンを生成するステップとを含む、請求項６−８のいずれか１項に記載の方法。
【請求項１０】
アンジオテンシン１イオンの量は、内部標準物質との比較によって、試験試料中のアンジ
オテンシン１の有無または量と関連付けられる、請求項６−９のいずれか１項に記載の方法。
【請求項１１】
前記ステップ（ｂ）は、固相抽出カラムによって、前記試料からアンジオテンシン１を精製するステップを含む、請求項６−１０のいずれか１項に記載の方法。
【請求項１２】
前記水安定性プロテアーゼ阻害剤は、フッ化アミノエチルベンジルスルホニルである、請求項６−１１のいずれか１項に記載の方法。
【請求項１３】
分解標準物質との比較によって、試料中のアンジオテンシン１の分解度を測定するステップをさらに含む、請求項６−１２のいずれか１項に記載の方法。
【請求項１４】
試料中のアンジオテンシン１の量を測定するための方法であって、
（ａ）試料中のレニンによるアンジオテンシン１の生成に好適な条件下で試料をインキュベーションするステップと、
（ｂ）固相抽出によって、前記試料中のアンジオテンシン１を精製するステップと、
（ｃ）オンライン処理を備えた液体クロマトグラフィーによって、前記試料中のアンジオテンシン１をさらに精製するステップと、
（ｄ）前記試料から精製されたアンジオテンシン１をイオン化して、質量分析法によって検出可能な１つ以上のイオンを生成するステップと、
（ｅ）質量分析法によって、アンジオテンシン１イオンの量を検出するステップと、
（ｆ）検出されたイオンの量を使用して、前記試料中のアンジオテンシン１の量を測定するステップと、
を含む方法。
【請求項１５】
前記液体クロマトグラフィーは、高性能液体クロマトグラフィー（ＨＰＬＣ）である、請求項１４に記載の方法。
【請求項１６】
前記方法は、０．１ｎｇ／ｍＬ以下の定量限界を有する、請求項１４−１５のいずれか１項に記載の方法。
【請求項１７】
前記アンジオテンシン１イオンは、４３３．０±０．５、６１９．４±０．５、６４７．４±０．５、および１２９７±０．５．の質量／電荷比をもつイオンから成る群から選択される１つ以上のイオンを含む、請求項１４−１６のいずれか１項に記載の方法。
【請求項１８】
前記イオン化ステップは、４３３．０±０．５の質量／電荷比をもつ前駆体イオンを生成するステップと、６１９．４±０．５または６４７．４±０．５の質量／電荷比をもつイオンから成る群から選択される、１つ以上の断片イオンを生成するステップとを含む、請求項１４−１７のいずれか１項に記載の方法。
【請求項１９】
ステップ（ａ）におけるインキュベーションステップは、レニンに対して有効ではない水安定性プロテアーゼ阻害剤の存在下でインキュベーションするステップを含む、請求項１４−１８のいずれか１項に記載の方法。
【請求項２０】
前記水安定性プロテアーゼ阻害剤は、フッ化アミノエチルベンジルスルホニルである、請求項１９に記載の方法。
【請求項２１】
アンジオテンシン１イオンの有無または量は、内部標準物質との比較によって、試験試料中のアンジオテンシン１の有無または量と関連付けられる、請求項１４−２０のいずれか１項に記載の方法。
【請求項２２】
分解標準物質との比較によって、試料中のアンジオテンシン１の分解度を測定するステップをさらに含む、請求項１４−２１のいずれか１項に記載の方法。
【請求項２３】
試料中のレニン活性を測定するための方法であって、
（ａ）試料中のレニンによるアンジオテンシン１の生成に好適な条件下で試料をインキュベーションするステップと、
（ｂ）固相抽出によって、前記試料からアンジオテンシン１を精製するステップと、
（ｃ）オンライン処理を備えた液体クロマトグラフィーによって、アンジオテンシン１をさらに精製するステップと、
（ｄ）前記試料から精製されたアンジオテンシン１をイオン化して、質量分析法によって検出可能な１つ以上のイオンを生成するステップと、
（ｅ）質量分析法によって、アンジオテンシン１イオンの量を検出するステップと、
（ｆ）検出されたイオンの量を使用して、前記試料中のアンジオテンシン１の量を測定するステップと、
（ｇ）前記試料中で測定されたアンジオテンシン１の量を使用して、試料中のレニン活性を計算するステップと、
を含む方法。
【請求項２４】
前記液体クロマトグラフィーは、高性能液体クロマトグラフィー（ＨＰＬＣ）である、請求項２３に記載の方法。
【請求項２５】
前記方法は、０．１ｎｇ／ｍＬ以下の定量限界を有する、請求項２３−２４のいずれか１項に記載の方法。
【請求項２６】
前記アンジオテンシン１イオンは、４３３．０±０．５、６１９．４±０．５、６４７．４±０．５、および１２９７±０．５の質量／電荷比をもつイオンから成る群から選択される１つ以上のイオンを含む、請求項２３−２５のいずれか１項に記載の方法。
【請求項２７】
前記イオン化ステップは、４３３．０±０．５の質量／電荷比をもつ前駆体イオンを生成するステップと、６１９．４±０．５または６４７．４±０．５の質量／電荷比をもつイオンから成る群から選択される、１つ以上の断片イオンを生成するステップとを含む、請求項２３−２６のいずれか１項に記載の方法。
【請求項２８】
ステップ（ａ）におけるインキュベーションステップは、レニンに対して有効ではない水安定性プロテアーゼ阻害剤の存在下でインキュベーションするステップを含む、請求項２３−２７のいずれか１項に記載の方法。
【請求項２９】
前記水安定性プロテアーゼ阻害剤は、フッ化アミノエチルベンジルスルホニルである、請求項２８に記載の方法。
【請求項３０】
アンジオテンシン１イオンの有無または量は、内部標準物質との比較によって、試験試料中のアンジオテンシン１の有無または量と関連付けられる、請求項２３−２９のいずれか１項に記載の方法。
【請求項３１】
分解標準物質との比較によって、試料中のアンジオテンシン１の分解度を測定するステップをさらに含む、請求項２３−３０のいずれか１項に記載の方法。
【請求項３２】
試料中のレニン活性を測定するための方法であって、
（ａ）試料中のレニンによるアンジオテンシン１の生成に好適な条件下で、レニンに対し
て有効ではない水安定性プロテアーゼ阻害剤と予混合された試料をインキュベーションするステップと、
（ｂ）液体クロマトグラフィーによって、アンジオテンシン１を精製するステップと、
（ｃ）前記試料から精製されたアンジオテンシン１をイオン化して、質量分析法によって検出可能な１つ以上のイオンを生成するステップと、
（ｄ）質量分析法によって、アンジオテンシン１イオンの量を検出するステップと、
（ｅ）検出されたイオンの量を使用して、前記試料中のアンジオテンシン１の量を測定するステップと、
（ｆ）前記試料中で測定されたアンジオテンシン１の量を使用して、試料中のレニン活性を計算するステップと、
を含む方法。
【請求項３３】
前記液体クロマトグラフィーは、高性能液体クロマトグラフィー（ＨＰＬＣ）である、請求項３２に記載の方法。
【請求項３４】
前記方法は、０．１ｎｇ／ｍＬ以下の定量限界を有する、請求項３２−３３のいずれか１項に記載の方法。
【請求項３５】
前記アンジオテンシン１イオンは、４３３．０±０．５、６１９．４±０．５、６４７．４±０．５、および１２９７±０．５の質量／電荷比をもつイオンから成る群から選択される１つ以上のイオンを含む、請求項３２−３４のいずれか１項に記載の方法。
【請求項３６】
前記イオン化ステップは、４３３．０±０．５の質量／電荷比をもつ前駆体イオンを生成するステップと、６１９．４±０．５または６４７．４±０．５の質量／電荷比をもつイオンから成る群から選択される、１つ以上の断片イオンを生成するステップとを含む、請求項３２−３５のいずれか１項に記載の方法。
【請求項３７】
ステップ（ｂ）におけるアンジオテンシン１を精製するステップは、固相抽出カラムによって、アンジオテンシン１を精製するステップを含む、請求項３２−３６のいずれか１項に記載の方法。
【請求項３８】
前記水安定性プロテアーゼ阻害剤は、フッ化アミノエチルベンジルスルホニルである、請求項３２−３７のいずれか１項に記載の方法。
【請求項３９】
アンジオテンシン１イオンの有無または量は、内部標準物質との比較によって、試験試料中のアンジオテンシン１の有無または量と関連付けられる、請求項３２−３８のいずれか１項に記載の方法。
【請求項４０】
分解標準物質との比較によって、試料中のアンジオテンシン１の分解度を測定するステップをさらに含む、請求項３２−３９のいずれか１項に記載の方法。
【請求項４１】
試料中のレニン活性を測定するための方法であって、
（ａ）試料中のレニンによるアンジオテンシン１の生成に好適な条件下で試料をインキュベーションするステップと、
（ｂ）液体クロマトグラフィーによって、前記試料中のアンジオテンシン１を精製するステップと、
（ｃ）前記試料から精製されたアンジオテンシン１をイオン化して、質量分析法によって検出可能な１つ以上のイオンを生成するステップと、
（ｄ）質量分析法によって、アンジオテンシン１イオンの量を検出するステップであって、前記イオンは、４３３．０±０．５、６１９．４±０．５、６４７．４±０．５、およ
び１２９７±０．５の質量／電荷比をもつイオンから成る群から選択されるステップと、（ｅ）検出されたイオンの量を使用して、前記試料中のアンジオテンシン１の量を測定するステップと、
（ｆ）前記試料中で測定されたアンジオテンシン１の量を使用して、試料中のレニン活性を計算するステップと、
を含む方法。
【請求項４２】
前記イオン化ステップは、４３３．０±０．５の質量／電荷比をもつ前駆体イオンを生成するステップと、６１９．４±０．５または６４７．４±０．５の質量／電荷比をもつイオンから成る群から選択される、１つ以上の断片イオンを生成するステップとを含む、請求項４１に記載の方法。
【請求項４３】
前記方法は、０．１ｎｇ／ｍＬ以下の定量限界を有する、請求項４１−４２のいずれか１項に記載の方法。
【請求項４４】
ステップ（ａ）におけるインキュベーションステップは、レニンに対して有効ではない水安定性プロテアーゼ阻害剤の存在下でインキュベーションするステップを含む、請求項４１−４３のいずれか１項に記載の方法。
【請求項４５】
前記水安定性プロテアーゼ阻害剤は、フッ化アミノエチルベンジルスルホニルである、請求項４４に記載の方法。
【請求項４６】
前記精製されたアンジオテンシン１は、高性能液体クロマトグラフィー（ＨＰＬＣ）によって精製される、請求項４１−４５のいずれか１項に記載の方法。
【請求項４７】
前記方法は、固相抽出カラムによって、前記試料からアンジオテンシン１を精製するステップをさらに含む、請求項４１−４６のいずれか１項に記載の方法。
【請求項４８】
アンジオテンシン１イオンの有無または量は、内部標準物質との比較によって、試験試料中のアンジオテンシン１の有無または量と関連付けられる、請求項４１−４７のいずれか１項に記載の方法。
【請求項４９】
分解標準物質との比較によって、試料中のアンジオテンシン１の分解度を測定するステップをさらに含む請求項４１−４８のいずれか１項に記載の方法。
【発明の詳細な説明】
【技術分野】
【０００１】
本発明は、レニン活性の測定に関する。特定の側面では、本発明は、ＨＰＬＣ質量分析法による、血漿レニン活性の測定のための方法に関する。
【背景技術】
【０００２】
背景技術に関する以下の説明は本発明の理解の支援として単純に提供されるものであって、本発明に対して、従来技術を説明する、またはそれを構成すると認めるものではない。
【０００３】
Ｆｒｅｄｌｉｎｅ  ｅｔ  ａｌ．Ｃｌｉｎ．Ｃｈｅｍ．４５：６５９−６６４（１９９９）において論じられているように、レニンは、腎臓の傍糸球体細胞によって血液中に分泌される、タンパク質分解酵素である。レニンは、アンジオテンシノゲンに作用し、アンジオテンシン１（Ａｎｇ１）と称される、デカペプチドを生成する。Ａｎｇ１は、アンジオテンシン変換酵素によってさらに開裂され、アンジオテンシン２（Ａｎｇ２）と称される、オクタペプチドを形成する。Ａｎｇ２は、細胞増殖、ナトリウムの尿細管輸送、およびアルドステロン分泌を刺激する。Ａｎｇ２は、ヒト内の最も有力な昇圧剤のうちの１つであって、血圧調節において重要な役割を果たす。Ａｎｇ２は、循環濃度が非常に低く、半減期が極端に短いため、直接測定を行うことが困難である。Ａｎｇ２より安定しているＡｎｇ１は、レニン−アンジオテンシン系の状態を測定するために、より優れた検体を提供する。Ａｎｇ１の生成率に基づく「血漿レニン活性」（ＰＲＡ）の測定は、高血圧の診断および管理のために、臨床的に使用されている。
【０００４】
ＰＲＡを測定するための従来の方法は、放射免疫測定法（ＲＩＡ）である（Ｓｅａｌｅｙ，Ｃｌｉｎ．Ｃｈｅｍ．３７：１８１１−１８１９（１９９１）；Ｓｈｉｏｎｏｉｒｉ
ｅｔ  ａｌ．，Ｈｏｒｍ  Ｒｅｓ．３７：１７１−１７５（１９９２）参照）。典型的放射免疫測定法は、それぞれ、同濃度の標識抗原および特異抗体を含有する、一連の標準物質と未知の混合物を試験管内に同時調製することによって行われる。適切な反応時間後、標識抗原の抗体結合画分（Ｂ）と遊離（Ｆ）画分とは、種々の技術のうちの１つによって分離される。標準物質中のＢ／Ｆ比は、非標識抗原の濃度の関数としてプロットされ（標準曲線）、抗原の未知の濃度は、観察されたＢ／Ｆ比を標準曲線と比較することによって決定される。放射免疫測定法は、競合的結合原理に基づいており、使用される抗体は、内因性アンジオテンシン等の他の血漿タンパク質との非特異的結合を受け得る。この潜在的交差反応性は、ＰＲＡの過大評価を生じさせ得る。別のアプローチは、ＲＩＡによる定量化前に、ＨＰＬＣを使用して、Ａｎｇ１を他のアンジオテンシンから単離するものである（Ｍｅｎｇ  ｅｔ  ａｌ．，Ｊ．Ａｍ．Ｓｏｃ．Ｎｅｐｈｒｏｌ．６：１２０９−１２１５（１９９５）；Ｍｅｎｇ  ｅｔ  ａｌ．，Ｊ．Ｃｈｒｏｍａｔｏｇｒ．２１、６１４（１）：１９−２５（１９９３）；Ｋｏｈａｒａ  ｅｔ  ａｌ．，Ｐｅｐｔｉｄｅｓ  １２：１１３５−１１４１（１９９１）の例を参照）。Ａｎｇ１の定量化のためのこれらのＨＰＬＣ法は、紫外線、蛍光、および質量分析計による検出を使用して開発されてきた（Ｋｌｉｃｋｓｔｅｉｎ  ｅｔ  ａｌ．Ａｎａｌ  Ｂｉｏｃｈｅｍ  １２０：１４６−１５０（１９８２）；Ｍｉｙａｚａｋｉ  ｅｔ  ａｌ．Ｊ  Ｃｈｒｏｍａｔｏｇｒ。４９０：４３−５１（１９８９）ａｎｄ  Ｆｒｅｄｌｉｎｅ  ｅｔ  ａｌ．Ｃｌｉｎ．Ｃｈｅｍ．４５：６５９−６６４（１９９９）の例を参照）。
【０００５】
例えば、Ｆｒｅｄｌｉｎｅ  ｅｔ  ａｌ．は、ＨＰＬＣエレクトロスプレイタンデム質量分析法の使用による、血漿レニン活性の測定について説明している。この測定を行う際、Ｆｒｅｄｌｉｎｅ  ｅｔ  ａｌ．は、水感受性酵素阻害剤（すなわち、フッ化フェニル
メチルスルホニル（ＰＭＳＦ））の存在下で血漿試料をインキュベーションし、６４９の（ｍ／ｚ）を有する前駆体イオンの衝突誘起解離を観察することによって、インキュベーション中に生成されたアンジオテンシン１の量を測定する。
【先行技術文献】
【非特許文献】
【０００６】
【非特許文献１】Ｆｒｅｄｌｉｎｅ  ｅｔ  ａｌ．Ｃｌｉｎ．Ｃｈｅｍ．４５：６５９−６６４（１９９９）
【非特許文献２】Ｓｅａｌｅｙ，Ｃｌｉｎ．Ｃｈｅｍ．３７：１８１１−１８１９（１９９１）
【非特許文献３】Ｓｈｉｏｎｏｉｒｉ  ｅｔ  ａｌ．，Ｈｏｒｍ  Ｒｅｓ．３７：１７１−１７５（１９９２）
【非特許文献４】Ｍｅｎｇ  ｅｔ  ａｌ．，Ｊ．Ａｍ．Ｓｏｃ．Ｎｅｐｈｒｏｌ．６：１２０９−１２１５（１９９５）
【非特許文献５】Ｍｅｎｇ  ｅｔ  ａｌ．，Ｊ．Ｃｈｒｏｍａｔｏｇｒ．２１、６１４（１）：１９−２５（１９９３）
【非特許文献６】Ｋｏｈａｒａ  ｅｔ  ａｌ．，Ｐｅｐｔｉｄｅｓ  １２：１１３５−１１４１（１９９１）
【非特許文献７】Ｋｌｉｃｋｓｔｅｉｎ  ｅｔ  ａｌ．Ａｎａｌ  Ｂｉｏｃｈｅｍ  １２０：１４６−１５０（１９８２）
【非特許文献８】Ｍｉｙａｚａｋｉ  ｅｔ  ａｌ．Ｊ  Ｃｈｒｏｍａｔｏｇｒ。４９０：４３−５１（１９８９）
【発明の概要】
【課題を解決するための手段】
【０００７】
本発明は、タンデム質量分析法を含む、質量分析法によって、アンジオテンシン１の量を測定し、血漿試料中のレニン活性を測定するための方法を提供する。
【０００８】
一側面では、試料中のアンジオテンシン１の量を測定するための方法が提供される。この方法は、（ａ）試料中のアンジオテンシン１をイオン化して、質量分析法によって検出可能な１つ以上のイオンを生成するステップと、（ｂ）質量分析法によって、アンジオテンシン１イオンの量を検出するステップであって、イオンは、４３３．０±０．５、６１９．４±０．５、６４７．４±０．５、および１２９７±０．５の質量／電荷比をもつイオンから成る群から選択されるステップと、（ｃ）検出されたアンジオテンシン１イオンの量を使用して、試料中のアンジオテンシン１の量を測定するステップと、を含むことができる。ある実施形態では、この方法の定量限界は、０．１ｎｇ／ｍＬ以下、例えば、０．０５ｎｇ／ｍＬ以下、例えば、約０．０３ｎｇ／ｍＬである。さらなる実施形態では、この方法は、高性能液体クロマトグラフィー（ＨＰＬＣ）によって、試料からアンジオテンシン１を精製するステップを含む。ある実施形態では、この方法は、固相抽出カラムによって、試料中のアンジオテンシン１を精製するステップをさらに含む。他の実施形態では、アンジオテンシン１イオンの量は、内部標準物質との比較によって、試料中のアンジオテンシン１の量と関連付けられる。ある実施形態では、分解標準物質を使用して、その生成後のアンジオテンシン１の分解度を決定してもよい。
【０００９】
別の側面では、試料中のアンジオテンシン１の量を測定するための方法が提供される。この方法は、（ａ）試料中のアンジオテンシン１をイオン化して１つ以上のイオンを生成するステップと、（ｂ）質量分析法によって、少なくとも１つのイオンの量を検出するステップであって、イオンは、４３３．０±０．５、６１９．４±０．５、６４７．４±０．５、および１２９７±０．５の質量／電荷比をもつイオンから成る群から選択されるステップと、を含むことができ、検出されたアンジオテンシン１イオンの量は、試料中のア
ンジオテンシン１の量の測定を提供する。ある実施形態では、分解標準物質を使用して、その生成後のアンジオテンシン１の分解度を決定してもよい。
【００１０】
別の側面では、試料中のアンジオテンシン１の量を測定するための方法が提供される。この方法は、（ａ）試料中のレニンによるアンジオテンシン１の生成に好適な条件下でレニンに対して有効ではない水安定性プロテアーゼ阻害剤と予混合された試料をインキュベーションするステップと、（ｂ）液体クロマトグラフィーによって、試料中のアンジオテンシン１を精製するステップと、（ｃ）精製されたアンジオテンシン１をイオン化して質量分析法によって検出可能な１つ以上のイオンを生成するステップと、（ｄ）質量分析法によって、１つ以上のアンジオテンシン１イオンの量を検出するステップと、（ｅ）検出されたイオンの量を使用して、試料中のアンジオテンシン１の量を測定するステップと、を含むことができる。ある実施形態では、この方法の定量限界は、０．１ｎｇ／ｍＬ以下、例えば、０．０５ｎｇ／ｍＬ以下、例えば、約０．０３ｎｇ／ｍＬである。さらなる実施形態では、質量分析法によって生成されたイオンは、４３３．０±０．５、６１９．４±０．５、６４７．４±０．５、および１２９７±０．５の質量／電荷比をもつイオンから成る群から選択される。関連実施形態では、イオンは、４３３．０±０．５の質量／電荷比をもつ前駆体イオンと、６１９．４±０．５および６４７．４±０．５の質量／電荷比をもつイオンから成る群から選択される、１つ以上の断片イオンとを含む。他の実施形態では、アンジオテンシン１イオンの量は、内部標準物質との比較によって、試験試料中のアンジオテンシン１の量と関連付けられる。他の好ましい実施形態では、この方法は、固相抽出カラムによって、試料中のアンジオテンシン１を精製するステップをさらに含む。他の好ましい実施形態では、水安定性プロテアーゼ阻害剤は、フッ化アミノエチルベンジルスルホニルである。ある実施形態では、分解標準物質を使用して、その生成後のアンジオテンシン１の分解度を決定してもよい。
【００１１】
別の側面では、試料中のアンジオテンシン１の量を測定するための方法が提供される。この方法は、（ａ）試料中のレニンによるアンジオテンシン１の生成に好適な条件下で試料をインキュベーションするステップと、（ｂ）固相抽出によって、試料中のアンジオテンシン１を精製するステップと、（ｃ）オンライン処理を備えた液体クロマトグラフィーによって、ステップ（ｂ）の後、アンジオテンシン１をさらに精製するステップと、（ｄ）ステップ（ｃ）から精製されたアンジオテンシン１をイオン化して、質量分析法によって検出可能な１つ以上のイオンを生成するステップと、（ｅ）質量分析法によって、１つ以上のアンジオテンシン１イオンの量を検出するステップと、（ｆ）検出されたイオンの量を使用して、試料中のアンジオテンシン１の量を測定するステップと、を含むことができる。ある好ましい実施形態では、液体クロマトグラフィーは、高性能液体クロマトグラフィー（ＨＰＬＣ）である。他の実施形態では、この方法の定量限界は、０．１ｎｇ／ｍＬ以下、例えば、０．０５ｎｇ／ｍＬ以下、例えば、約０．０３ｎｇ／ｍＬである。さらなる実施形態では、この方法は、４３３．０±０．５、６１９．４±０．５、６４７．４±０．５、および１２９７±０．５の質量／電荷比をもつイオンから成る群から選択される１つ以上のイオンを含むイオンを生成するステップを含む。関連実施形態では、この方法は、アンジオテンシン１の前駆体イオンを生成するステップを含み、前駆体イオンのうちの少なくとも１つは、４３３．０±０．５の質量／電荷比を有する。好ましい関連実施形態では、この方法は、アンジオテンシン１前駆体イオンのうちの１つ以上の断片イオンを生成するステップであって、断片イオンのうちの少なくとも１つは、６１９．４±０．５または６４７．４±０．５の質量／電荷比を有するステップを含むことができる。さらなる実施形態では、インキュベーションは、レニンに対して有効ではない水安定性プロテアーゼ阻害剤の存在下において行う。ある好ましい実施形態では、水安定性プロテアーゼ阻害剤は、フッ化アミノエチルベンジルスルホニルである。ある実施形態では、アンジオテンシン１イオンの量は、内部標準物質との比較によって、試験試料中のアンジオテンシン１の量と関連付けられる。ある実施形態では、分解標準物質を使用して、その生成後の
アンジオテンシン１の分解度を決定してもよい。
【００１２】
別の側面では、試料中のレニン活性を測定するための方法が提供される。この方法は、（ａ）試料中のレニンによるアンジオテンシン１の生成に好適な条件下で試料をインキュベーションするステップと、（ｂ）固相抽出によって、試料からアンジオテンシン１を精製するステップと、（ｃ）オンライン処理を備えた液体クロマトグラフィーによって、アンジオテンシン１をさらに精製するステップと、（ｄ）精製されたアンジオテンシン１をイオン化して、質量分析法によって検出可能な１つ以上のイオンを生成するステップと、（ｅ）質量分析法によって、１つ以上のアンジオテンシン１イオンの量を検出するステップと、（ｆ）検出されたイオンの量を使用して、試料中のアンジオテンシン１の量を測定するステップと、（ｇ）試料中で測定されたアンジオテンシン１の量を使用して、試料中のレニン活性を計算するステップと、を含むことができる。ある好ましい実施形態では、液体クロマトグラフィーは、高性能液体クロマトグラフィー（ＨＰＬＣ）である。別の実施形態では、この方法の定量限界は、０．１ｎｇ／ｍＬ以下、例えば、０．０５ｎｇ／ｍＬ以下、例えば、約０．０３ｎｇ／ｍＬである。さらなる実施形態では、この方法は、アンジオテンシン１の前駆体イオンを生成するステップであって、前駆体イオンのうちの少なくとも１つは、４３３．０±０．５の質量／電荷比を有するステップと、６１９．４±０．５または６４７．４±０．５の質量／電荷比をもつイオンから成る群から選択される、アンジオテンシン１前駆体イオンのうちの１つ以上の断片イオンを生成するステップと、を含む。ある実施形態では、インキュベーションは、水安定性プロテアーゼ阻害剤の存在下において行う。好ましい関連実施形態では、水安定性プロテアーゼ阻害剤は、フッ化アミノエチルベンジルスルホニルである。ある実施形態では、アンジオテンシン１イオンの量は、内部標準物質との比較によって、試験試料中のアンジオテンシン１の量と関連付けられる。ある実施形態では、分解標準物質を使用して、その生成後のアンジオテンシン１の分解度を決定してもよい。
【００１３】
別の側面では、試料中のレニン活性を測定するための方法が提供される。この方法は、（ａ）試料中のレニンによるアンジオテンシン１の生成に好適な条件下でレニンに対して有効ではない水安定性プロテアーゼ阻害剤と予混合された試料をインキュベーションするステップと、（ｂ）液体クロマトグラフィーによって、アンジオテンシン１を精製するステップと、（ｃ）精製されたアンジオテンシン１をイオン化して、質量分析法によって検出可能な１つ以上のイオンを生成するステップと、（ｄ）質量分析法によって、アンジオテンシン１イオンの量を検出するステップと、（ｅ）検出されたイオンの量を使用して、試料中のアンジオテンシン１の量を測定するステップと、（ｆ）試料中のアンジオテンシン１の量を使用して、試料中のレニン活性を計算するステップと、を含む。ある好ましい実施形態では、液体クロマトグラフィーは、高性能液体クロマトグラフィー（ＨＰＬＣ）である。別の実施形態では、この方法の定量限界は、０．１ｎｇ／ｍＬ以下、例えば、０．０５ｎｇ／ｍＬ以下、例えば、約０．０３ｎｇ／ｍＬである。さらなる実施形態では、この方法は、アンジオテンシン１の前駆体イオンを生成するステップであって、前駆体イオンのうちの少なくとも１つは、４３３．０±０．５の質量／電荷比を有するステップと、６１９．４±０．５または６４７．４±０．５の質量／電荷比をもつイオンから成る群から、アンジオテンシン１前駆体イオンのうちの１つ以上の断片イオンを生成するステップと、を含む。ある好ましい実施形態では、ステップ（ｂ）は、固相抽出カラムによって、試料からアンジオテンシン１を精製するステップを含む。さらなる実施形態では、水安定性プロテアーゼ阻害剤は、フッ化アミノエチルベンジルスルホニルである。ある実施形態では、分解標準物質を使用して、その生成後のアンジオテンシン１の分解度を決定してもよい。
【００１４】
別の側面では、試料中のレニン活性を測定するための方法が提供される。この方法は、（ａ）試料中のレニンによるアンジオテンシン１の生成に好適な条件下で試料をインキュ
ベーションするステップと、（ｂ）液体クロマトグラフィーによって、試料中のアンジオテンシン１を精製するステップと、（ｃ）精製されたアンジオテンシン１をイオン化して、質量分析法によって検出可能な１つ以上のイオンを生成するステップと、（ｄ）質量分析法によって、アンジオテンシン１イオンの量を検出するステップであって、イオンは、４３３．０±０．５、６１９．４±０．５、６４７．４±０．５、および１２９７±０．５の質量／電荷比をもつイオンから成る群から選択されるステップと、（ｅ）検出されたイオンの量を使用して、試料中のアンジオテンシン１の量を測定するステップと、（ｆ）試料中のアンジオテンシン１の量を使用して、試料中のレニン活性を計算するステップと、を含む。ある実施形態では、この方法の定量限界は、０．１ｎｇ／ｍＬ以下、例えば、０．０５ｎｇ／ｍＬ以下、例えば、約０．０３ｎｇ／ｍＬである。ある実施形態では、インキュベーションは、水安定性プロテアーゼ阻害剤の存在下において行う。好ましい関連実施形態では、水安定性プロテアーゼ阻害剤は、フッ化アミノエチルベンジルスルホニルである。ある実施形態では、液体クロマトグラフィーは、高性能液体クロマトグラフィー（ＨＰＬＣ）である。ある実施形態では、この方法のステップ（ｂ）は、固相抽出カラムによって、アンジオテンシン１を精製するステップをさらに含む。さらなる実施形態では、アンジオテンシン１イオンの量は、内部標準物質との比較によって、試験試料中のアンジオテンシン１の量と関連付けられる。ある実施形態では、分解標準物質を使用して、その生成後のアンジオテンシン１の分解度を決定してもよい。
【００１５】
ある実施形態では、インキュベーションから約３時間後、ＰＲＡが、毎時１ｍＬあたり０．６５ｎｇ未満のアンジオテンシンである場合、試験試料は、より長時間（例えば、最大約１８時間）インキュベーションされ、ＰＲＡ生成プロトコルを確立してもよい。
【００１６】
好ましい実施形態は、高性能液体クロマトグラフィー（ＨＰＬＣ）を、単独で、あるいは、例えば、固相抽出技術またはタンパク質沈殿を含むがそれらに限定されない１つ以上の精製方法と組み合わせて利用して、試料中のアンジオテンシン１を精製する。
【００１７】
本明細書に開示される方法のある好ましい実施形態では、質量分析法は、正イオンモードで行われる。あるいは、質量分析法は、負イオンモードで行うことが可能である。特に好ましい実施形態では、アンジオテンシン１は、正および負イオンモードの両方を使用して測定される。ある好ましい実施形態では、アンジオテンシン１は、正または負モードのいずれかにおいて、エレクトロスプレーオン化（ＥＳＩ）あるいはマトリックス支援レーザー脱離イオン化（ＭＡＬＤＩ）を使用して測定される。
【００１８】
好ましい実施形態では、質量分析計において検出可能なアンジオテンシン１イオンは、１２９７±０．５、７５６±０．５、６４９±０．５、６４７．４±０．５、６１９．４±０．５、５３４±０．５、５０６±０．５、４３３．０±０．５、３４３±０．５、２５５±０．５、および１１０±０．５の質量／電荷比（ｍ／ｚ）をもつイオンから成る群から選択される。特に好ましい実施形態では、前駆体イオンは、４３３．０±０．５の質量／電荷比を有し、断片イオンは、６１９．４±０．５または６４７．４±０．５の質量／電荷比を有する。
【００１９】
好ましい実施形態では、別々に検出可能な同位体標識アンジオテンシン１が内部標準物質として試料に添加される。これらの実施形態では、試料中に存在する内因性アンジオテンシン１と内部標準物質の両方の全部または一部は、イオン化され、質量分析計において検出可能な複数のイオンを生成し、それぞれから生成された１つ以上のイオンが質量分析法によって検出される。関連実施形態では、同位体標識アンジオテンシン１は、13Ｃおよび15Ｎ同位体標識バリン、アルギニン、イソロイシン、ロイシン、リシン、フェニルアラニン、プロリンサブユニット、またはそれらの組み合わせを含んでいてもよい。さらに好ましい実施形態では、同位体標識アンジオテンシン１は、炭素原子が13Ｃ同位体と置換さ
れ、窒素原子が15Ｎ同位体と置換されており、天然アンジオテンシン１と比較して６Ｄａの質量の増加をもたらす、バリンサブユニットを有する。好ましい関連実施形態では、同位体標識アンジオテンシン１は、炭素原子が13Ｃ同位体と置換され、窒素原子が15Ｎ同位体と置換されているバリンおよびイソロイシンサブユニットを有する。この同位体標識アンジオテンシン１の質量は、通常、天然アンジオテンシン１より１３Ｄａ高い。
【００２０】
好ましい実施形態では、アンジオテンシン１イオンの有無および／または量は、内部標準物質との比較によって、アンジオテンシン１の有無および／または試験試料中の量と関連付けられる。
【００２１】
本明細書に開示される側面のある好ましい実施形態では、アンジオテンシン１の定量限界（ＬＯＱ）は、０．１ｎｇ／ｍＬ以下、例えば、０．０５ｎｇ／ｍＬ以下、例えば、約０．０３ｎｇ／ｍＬであって、アンジオテンシン１の定量上限（ＵＬＯＱ）は、１００，０００ｆｍｏｌ／ｍＬ以上である。
【００２２】
別の側面では、アンジオテンシン１定量アッセイのためのキットが提供される。キットは、リン酸緩衝生理食塩水溶液中のフッ化アミノエチルベンジルスルホニル（ＡＥＢＳＦ）を含み、リン酸緩衝生理食塩水溶液中のＡＥＢＳＦは、少なくとも１つのアッセイのために十分な量として存在する。加えて、キットは、少なくとも１つのアッセイのために十分な量の内部標準物質およびマレイン酸を含んでいてもよい。
【００２３】
本明細書で使用される場合、別途記載がない限り、単数形「ａ」、「ａｎ」、および「ｔｈｅ」は、複数形も含む。したがって、例えば、「タンパク質」とは、複数のタンパク質分子も含む。
【００２４】
本明細書で使用される場合、用語「精製」または「精製する」とは、着目検体以外の試料から全成分を除去することを指すわけではない。そうではなく、精製とは、着目検体の検出に干渉し得る試料中の他の成分と比較して、１つ以上の着目検体の量を濃縮する手順を指す。本発明において、試料は種々の手段によって精製されて、１つ以上の干渉物質、例えば、質量分析法において選択されたアンジオテンシン１親および娘イオンの検出に干渉するであろう１つ以上の物質を除去することができる。
【００２５】
本明細書で使用される場合、用語「試験試料」とは、アンジオテンシンを含有し得る、任意の試料を指す。本明細書で使用される場合、用語「体液」とは、個体の身体から単離可能な任意の流体を意味する。体液の例としては、血液、血漿、血清、胆汁、唾液、尿、涙、汗等が挙げられる。
【００２６】
本明細書で使用される場合、用語「クロマトグラフィー」とは、液体またはガスによって搬送される化学混合物が固定液相または固相の周囲またはまわりで流動するにしたがって、化学的単体が異なるように分布する結果として、成分に分離されるプロセスを指す。
【００２７】
本明細書で使用される場合、用語「液体クロマトグラフィー」または「ＬＣ」とは、流体が微粉化物質のカラムを通して、または毛細管路を通して、均一に浸透するにしたがって、流体溶液のうちの１つ以上の成分が選択的に遅延するプロセスを意味する。遅延は、流体が固定相に対して移動するにしたがって、１つ以上の固定相とバルク流体（すなわち、移動相）との間に混合物の成分が分布する結果として生じる。「液体クロマトグラフィー」を利用する分離技術の例としては、逆相液体クロマトグラフィー（ＲＰＬＣ）、高性能液体クロマトグラフィー（ＨＰＬＣ）、および乱流液体クロマトグラフィー（ＴＦＬＣ）（高乱流液体クロマトグラフィー（ＨＴＬＣ）または高スループット液体クロマトグラフィーとしても知られる）が挙げられる。ある実施形態では、ＳＰＥカラムは、ＬＣカラ
ムと組み合わせて使用されてもよい。例えば、試料は、ＴＦＬＣ抽出カラムで精製後、ＨＰＬＣ分析カラムでさらに精製されてもよい。
【００２８】
本明細書で使用される場合、用語「高性能液体クロマトグラフィー」または「ＨＰＬＣ」（「高圧液体クロマトグラフィー」としても知られる）とは、固定相、典型的には、高密度に充填されたカラムを通して、移動相に圧力をかけることによって、分離度が増加する液体クロマトグラフィーを指す。
【００２９】
本明細書で使用される場合、用語「乱流液体クロマトグラフィー」または「ＴＦＬＣ」（高乱流液体クロマトグラフィーまたは高スループット液体クロマトグラフィーとしても知られる）とは、分離を行うための基礎として、カラム充填を通してアッセイされる成分の乱流を利用する、クロマトグラフィーの形態を指す。ＴＦＬＣは、質量分析法による分析の前に、２つの不特定の薬物を含有する試料の調製に適用されている。例えば、Ｚｉｍｍｅｒ  ｅｔ  ａｌ．，Ｊ  Ｃｈｒｏｍａｔｏｇｒ  Ａ  ８５４：２３−３５（１９９９）を参照されたい（また、ＴＦＬＣについてさらに説明している、米国特許第５，９６８，３６７号、第５，９１９，３６８号、第５，７９５，４６９号、および第５，７７２，８７４号も参照）。当業者は、「乱流」について理解しているであろう。流体がゆっくりかつ平滑に流動する時、その流動は、「層流」と呼ばれる。例えば、低流速でＨＰＬＣカラムを通って移動する流体は、層流である。層流では、流体の粒子の運動は、整然としており、粒子は、略直線に移動する。より高速では、水の慣性によって、流体摩擦力が圧倒され、乱流が生じる。不規則境界に接触していない流体は、摩擦によって減速される、または不均一表面によって偏向される、流体を「追い越して流動する」。流体が乱流として流動する場合、渦流および環流（すなわち、渦動）状に流動し、流動が層流である場合より「遅滞」が生じる。流体流動が層流または乱流である場合の判定の補助として、多くの参考文献が利用可能である（例えば、Ｔｕｒｂｕｌｅｎｔ  Ｆｌｏｗ  Ａｎａｌｙｓｉｓ：Ｍｅａｓｕｒｅｍｅｎｔ  ａｎｄ  Ｐｒｅｄｉｃｔｉｏｎ，Ｐ．Ｓ．Ｂｅｒｎａｒｄ  ＆  Ｊ．Ｍ．Ｗａｌｌａｃｅ，Ｊｏｈｎ  Ｗｉｌｅｙ  ＆  Ｓｏｎｓ，Ｉｎｃ．，（２０００）；Ａｎ  Ｉｎｔｒｏｄｕｃｔｉｏｎ  ｔｏ  Ｔｕｒｂｕｌｅｎｔ  Ｆｌｏｗ，Ｊｅａｎ  Ｍａｔｈｉｅｕ  ＆  Ｊｕｌｉａｎ  Ｓｃｏｔｔ，Ｃａｍｂｒｉｄｇｅ  Ｕｎｉｖｅｒｓｉｔｙ  Ｐｒｅｓｓ（２００１））。
【００３０】
本明細書で使用される場合、用語「固相抽出」または「ＳＰＥ」とは、それを通して、またはその周囲を溶液が通過する固体（すなわち、固体相）のための溶液（すなわち、移動相）中に溶解または懸濁される成分の親和力の結果として、化学混合物が成分に分離されるプロセスを指す。ある例では、移動相が固体相を通してまたはその周囲を通過するにしたがって、移動相の望ましくない成分は、固相によって滞留され、移動相中の検体が精製される。他の例では、検体は固体相によって滞留され、移動相の望ましくない成分を、固体相を通してまたはその周囲を通過させてもよい。これらの例では、次いで、第２の移動相を使用して、さらなる処理または分析のために、滞留された検体を固相から溶離させる。抽出カラムとして乱流液体クロマトグラフィー（ＴＦＬＣ）の利用を含むＳＰＥは、一体型または混合モード機構を介して作動させることができる。混合モード機構は、同一カラム内において、イオン交換および疎水性滞留を利用する。例えば、混合モードＳＰＥカラムの固相は、強アニオン交換および疎水性滞留を示してもよく、または強カチオン交換および疎水性滞留を示してもよい。
【００３１】
本明細書で使用される場合、用語「分析カラム」とは、検体の有無または量の判定を可能にするよう十分にカラムから溶離させるように、試料中の成分の分離をもたらすのに十分なクロマトグラフィープレートを有する、クロマトグラフィーカラムを指す。そのようなカラムは、多くの場合、さらなる分析のための精製された試料を得るために、非滞留成分から滞留成分を分離または抽出するという一般的目的を有する、「抽出カラム」と区別
される。好ましい実施形態では、分析カラムは、直径約４μｍの粒子を含有する。
【００３２】
本明細書で使用される場合、例えば、「オンライン自動式」または「オンライン抽出」において使用される場合、用語「オンライン」または「インライン」とは、操作者の介入を必要とせずに行われる手順を指す。例えば、弁とコネクタ配管の精選によって、固相抽出および液体クロマトグラフィーカラムは、任意の手動ステップを必要とせずに成分が順次通過されるように、必要に応じて接続可能である。好ましい実施形態では、弁および配管の選択は、必要なステップを行うように、予めプログラムされたコンピュータによって制御される。最も好ましくは、クロマトグラフィーシステムもまた、そのようなオンライン式で、検出器システム、例えば、ＭＳシステムに接続される。したがって、操作者は、自動試料注入器内に多穴または多管試料のトレイを定置し、残りの操作は、コンピュータ制御下で行われ、選択される全試料を精製および分析することができる。対照的に、本明細書で使用される場合、用語「オフライン」とは、操作者の手動介入を必要とする手順を指す。したがって、試料が沈殿状態にあって、次いで、上清が自動試料注入器に手動で装填される場合、沈殿および装填ステップは、続くステップからオフラインとなる。この方法の種々の実施形態では、１つ以上のステップがオンライン自動式で行われてもよい。
【００３３】
本明細書で使用される場合、用語「質量分析法」または「ＭＳ」とは、その質量によって化合物を同定する分析技術を指す。ＭＳとは、その質量対電荷比または「ｍ／ｚ」に基づいて、イオンを濾過、検出、および測定する方法を指す。ＭＳ技術は、概して、（１）化合物をイオン化して荷電化合物を形成するステップと、（２）荷電化合物の分子量を検出し、質量対電荷比を計算するステップと、を含む。化合物は、任意の好適な手段によって、イオン化および検出することができる。「質量分析計」は、概して、イオン化装置と、イオン検出器と、を含む。一般に、１つ以上の着目分子がイオン化され、続いて、イオンは質量分析装置に導入され、ここでイオンは磁場と電界の組み合わせによって質量（「ｍ」）および電化（「ｚ」）に応じた空間内の経路を辿る。例えば、米国特許第６，２０４，５００号「Ｍａｓｓ  Ｓｐｅｃｔｒｏｍｅｔｒｙ  Ｆｒｏｍ  Ｓｕｒｆａｃｅｓ」、第６，１０７，６２３号「Ｍｅｔｈｏｄｓ  ａｎｄ  Ａｐｐａｒａｔｕｓ  ｆｏｒ  Ｔａｎｄｅｍ  Ｍａｓｓ  Ｓｐｅｃｔｒｏｍｅｔｒｙ」、第６，２６８，１４４号「ＤＮＡ  Ｄｉａｇｎｏｓｔｉｃｓ  Ｂａｓｅｄ  Ｏｎ  Ｍａｓｓ  Ｓｐｅｃｔｒｏｍｅｔｒｙ」、第６，１２４，１３７号「Ｓｕｒｆａｃｅ−Ｅｎｈａｎｃｅｄ  Ｐｈｏｔｏｌａｂｉｌｅ
Ａｔｔａｃｈｍｅｎｔ  Ａｎｄ  Ｒｅｌｅａｓｅ  Ｆｏｒ  Ｄｅｓｏｒｐｔｉｏｎ  Ａｎｄ  Ｄｅｔｅｃｔｏｎ  Ｏｆ  Ａｎａｌｙｔｅｓ」、Ｗｒｉｇｈｔ  ｅｔ  ａｌ．，Ｐｒｏｓｔａｔｅ  Ｃａｎｃｅｒ  ａｎｄ  Ｐｒｏｓｔａｔｉｃ  Ｄｉｓｅａｓｅｓ  ２：２６４−７６（１９９９）、およびＭｅｒｃｈａｎｔ  ａｎｄ  Ｗｅｉｎｂｅｒｇｅｒ，Ｅｌｅｃｔｒｏｐｈｏｒｅｓｉｓ  ２１：１１６４−６７（２０００）を参照されたい。
【００３４】
本明細書で使用される場合、用語「正イオンモード操作」とは、正イオンが生成および検出される質量分析法を指す。本明細書で使用される場合、用語「負イオンモード操作」とは、負イオンが生成および検出される質量分析法を指す。
【００３５】
本明細書で使用される場合、用語「イオン化」または「イオン化ステップ」とは、１つ以上の電子単位に等しい正味電荷を有する検体イオンを生成するプロセスを指す。負イオンは、１つ以上の電子単位の正味負電荷を有するものであり、一方、正イオンは、１つ以上の電子単位の正味正電荷を有するものである。
【００３６】
本明細書で使用される場合、用語「電子イオン化」または「ＥＩ」とは、気相または蒸気相にある着目検体が電子流と相互作用する方法を指す。電子の検体との衝突によって検体イオンが生成され、次いで、これを質量分析法技術に供する。
【００３７】
本明細書で使用される場合、用語「化学イオン化」または「ＣＩ」とは、試薬ガス（例えば、アンモニア）が電子衝突を受け、検体イオンが試薬ガスイオンと検体分子の相互作用によって形成される方法を指す。
【００３８】
本明細書で使用される場合、用語「高速原子衝撃」または「ＦＡＢ」とは、高エネルギー原子（多くの場合、ＸｅまたはＡｒ）のビームが不揮発性試料に衝突し、試料中に含有される分子を脱離およびイオン化する方法を指す。試験試料は、グリセロール、チオグリセロール、ｍ−ニトロベンジルアルコール、１８−クラウン−６クラウンエーテル、２−ニトロフェニルオクチルエーテル、スルホラン、ジエタノールアミン、およびトリエタノールアミン等の粘性液体マトリクス中に溶解される。化合物または試料のための適切なマトリクスの選択は、経験的プロセスである。
【００３９】
本明細書で使用される場合、用語「マトリクス支援レーザー脱離イオン化」または「ＭＡＬＤＩ」とは、不揮発性試料がレーザー照射に曝露され、光イオン化、プロトン化、脱プロトン化、およびクラスター崩壊を含む種々のイオン化経路によって、試料中の検体を吸収およびイオン化する方法を指す。ＭＡＬＤＩの場合、試料は、検体分子の脱離を促進するエネルギー吸収マトリクスと混合される。
【００４０】
本明細書で使用される場合、用語「表面増強レーザー脱離イオン化」または「ＳＥＬＤＩ」とは、不揮発性試料がレーザー照射に曝露され、光イオン化、プロトン化、脱プロトン化、およびクラスター崩壊を含む種々のイオン化経路によって、試料中の検体を吸収およびイオン化する別の方法を指す。ＳＥＬＤＩの場合、試料は、典型的には、１つ以上の着目検体を優先的に滞留させる表面と結合される。ＭＡＬＤＩにおけるように、このプロセスも、エネルギー吸収成分を用いてイオン化を促進してもよい。
【００４１】
本明細書で使用される場合、用語「エレクトロスプレーオン化」または「ＥＳＩ」とは、溶液が短毛細管に沿って通過し、その末端で、正または負の高電位が印加される方法を指す。管の末端に達する溶液は気化（噴霧）されて、溶媒蒸気中のジェットまたはスプレー状の溶液の極小液滴となる。この霧状の液滴は、凝縮を防止し溶媒を蒸発させるように若干加熱された蒸発チャンバを通して流れる。液滴が小さくなるにつれて、同電荷間の自然反発作用によってイオンならびに中性分子が放出されるまで、表面電荷密度が増加する。
【００４２】
本明細書で使用される場合、用語「大気圧化学イオン化」または「ＡＰＣＩ」とは、ＥＳＩと類似する質量分析法を指す。しかしながら、ＡＰＣＩは、大気圧のプラズマ中に生じるイオン分子反応によって、イオンを生成する。プラズマは、スプレー毛細管と対電極との間の放電によって維持される。次いで、イオンは、典型的には、一式の差動排気掬取段階の使用によって、質量分析器内に抽出される。乾燥かつ予加熱されたＮ2のガスの対
向流を使用して、溶媒の除去を向上させてもよい。ＡＰＣＩにおける気相イオン化は、低極性種を分析するために、ＥＳＩよりも効果的であり得る。
【００４３】
本明細書で使用される場合、用語「大気圧光イオン化」または「ＡＰＰＩ」とは、質量分析法の形態を指し、分子Ｍの光イオン化のための機構は、分子イオンＭ＋を形成するための光子吸収および電子放出である。光子エネルギーは、典型的にはイオン化電位を若干上回るため、分子イオンは解離を受けにくい。多くの場合、クロマトグラフィーの必要なく試料を分析することが可能であって、したがって、大幅な時間および費用を節約するであろう。水蒸気またはプロトン性溶媒の存在下で、分子イオンは、Ｈを抽出し、ＭＨ＋を形成可能である。これは、Ｍが高プロトン親和力を有する場合に生じる傾向にある。これは、Ｍ＋とＭＨ＋との和が一定であるため、定量の正確度に影響を及ぼさない。プロトン性溶媒中の薬物化合物は、通常、ＭＨ＋として観察されるが、一方、ナフタレンまたはテ
ストステロン等の非極性化合物は、通常、Ｍ＋を形成する。例えば、Ｒｏｂｂ  ｅｔ  ａｌ．，Ａｔｍｏｓｐｈｅｒｉｃ  ｐｒｅｓｓｕｒｅ  ｐｈｏｔｏｉｏｎｉｚａｔｉｏｎ：Ａｎ  ｉｏｎｉｚａｔｉｏｎ  ｍｅｔｈｏｄ  ｆｏｒ  ｌｉｑｕｉｄ  ｃｈｒｏｍａｔｏｇｒａｐｈｙ−ｍａｓｓ  ｓｐｅｃｔｒｏｍｅｔｒｙ．Ａｎａｌ．Ｃｈｅｍ．７２（１５）：３６５３−５９（２０００）を参照されたい。
【００４４】
本明細書で使用される場合、用語「誘導結合プラズマ」または「ＩＣＰ」とは、大部分の元素が原子化およびイオン化されるように、十分な高温において、試料が部分的にイオン化されたガスと相互作用する方法を指す。
【００４５】
本明細書で使用される場合、用語「電界脱離」とは、不揮発性試験試料がイオン化表面上に定置され、強電界を使用して、検体イオンを生成する方法を指す。
【００４６】
本明細書で使用される場合、用語「脱離」とは、表面からの検体の除去および／または気相中への検体の流入を指す。
【００４７】
本明細書で使用される場合、用語「定量化限界」、「定量限界」、または「ＬＯＱ」とは、測定が定量的に有意義となる点を指す。このＬＯＱにおける検体応答は、２０％の精度および８０％乃至１２０％の正確度によって、同定し、分離し、再現することができる。定量上限とは、検体応答の定量化可能な線形上限範囲を指す。
【００４８】
本明細書で使用される場合、用語「検出限界」または「ＬＯＤ」とは、測定値がそれに付随する不確定性を上回る点である。ＬＯＤは、任意単位で、ゼロ濃度から３標準偏差（ＳＤ）として定義される。
【００４９】
本明細書で使用される場合、イオンの質量の測定以外の定量的測定を参照する際の用語「約」とは、表示値＋／−１０％を指す。質量分析装置は、所与の検体の質量を判定する際、若干変動し得る。イオンの質量またはイオンの質量／電荷比の文脈においては、用語「約」とは＋／−０．５の原子質量単位を指す。
【００５０】
上述の発明の開示は非限定的であって、本発明の他の特徴および利点は、以下の発明を実施するための形態および請求項から明白となるであろう。
【図面の簡単な説明】
【００５１】
【図１】図１は、Ａｎｇ１（ｍ／ｚ＝４３３．０）の衝突誘起解離完全走査スペクトルを示す。
【図２】図２は、内部標準物質（ｍ／ｚ＝４３４．８）の衝突誘起解離完全走査スペクトルを示す。
【図３】図３は、Ａｎｇ１の質量分析検出の例示的較正曲線を示す。
【図４】図４Ａ、ＢおよびＣは、低濃度較正物質についてのＡｎｇ１（ｍ／ｚ＝４３３．０±０．５）、内部標準物質（ｍ／ｚ＝４３４．８±０．５）、および分解標準物質（ｍ／ｚ＝４３７．３±０．５）の例示的質量クロマトグラムを示す。
【図５】図５Ａ、ＢおよびＣは、０．１ｎｇ／ｍＬ／時間を示す患者試料についてのＡｎｇ１（ｍ／ｚ＝４３３．０±０．５）、内部標準物質（ｍ／ｚ＝４３４．８±０．５）、および分解標準物質（ｍ／ｚ＝４３７．３±０．５）の例示的質量クロマトグラムを示す。
【発明を実施するための形態】
【００５２】
試料中のアンジオテンシン１の量を測定するための方法について、説明する。より具体的には、血漿試料中のレニン活性と関連付けられるアンジオテンシン１を検出およぼ定量
化するための方法について、説明する。この方法は、液体クロマトグラフィー（ＬＣ）、最も好ましくは、ＨＰＬＣを利用して、選択された検体の精製を行い、この精製を固有の質量分析法（ＭＳ）と組み合わせ、それによって、試験試料中のアンジオテンシン１を検出および定量化するための高スループットアッセイシステムを提供する。好ましい実施形態は、自動ＰＲＡアッセイのための大規模臨床実験における用途に特に好適である。本発明により提供される方法は、感度を向上させ、他のＰＲＡアッセイにおいて必要とされるものよりも短時間かつ少ない調製試料で行うことができる。
【００５３】
好適な試験試料として、着目検体を含むかもしれない任意の試験試料が挙げられる。ある好ましい実施形態では、試料は、生物学的試料、すなわち、動物、培養細胞、培養臓器等の任意の生物学的源から得られる試料である。ある好ましい実施形態では、試料は、イヌ、ネコ、ウマ等の哺乳類動物から得られる。特に好ましい哺乳類動物は、霊長類、最も好ましくは、男性または女性のヒトである。特に好ましい試料として、血液、血漿、血清、唾液、脳脊髄液、または他の組織試料が挙げられる。そのような試料は、例えば、患者、すなわち、疾患または病状の診断、予後、あるいは治療のための臨床的状況下にある、存命中の男性または女性のヒトから得ることができる。試験試料は、好ましくは、患者から得られる、例えば、血液血清または血漿である。血漿プロレニンの不可逆的低温活性化を回避するために、試料は、室温ですぐに処理するか、または完全に冷凍保存し、使用直前に急速解凍すべきである。
【００５４】
分析を自動化できるように、クロマトグラフィーおよび／またはＭＳ試料分析の前に、種々のインキュベーション条件を使用してレニンによるアンジオテンシン１の調製および生成を促進してもよい。本発明には、アンジオテンシン１の生成を行うために好適な試薬カクテルを１回添加することが組み込まれる。試薬カクテルは、１つの単純ステップで全試薬を予混合するステップから作製される。この試薬カクテルの１回の生成は、典型的に利用される水感受性酵素阻害剤、例えばフッ化フェニルメチルスルホニル（ＰＭＳＦ）を、水安定性の、例えばフッ化アミノエチルベンジルスルホニル（ＡＥＢＳＦ）で置き換えることによって行う。これは、大型試料サイズの自動化において特に有用である。労働集約的アッセイ設定は、水系試薬および水感受性酵素阻害剤、例えばＰＭＳＦの混合を必要とするため、この順次的添加は、インキュベーション前に、試薬溶液中の均質性を確保するために、各ステップ間で激しく撹拌する必要がある。さらに、ＰＭＳＦは、水媒体中で不安定であるため、新たに調製しなければならなり。ＡＥＢＳＦは、ＰＭＳＦよりも遥かに毒性が低いという点において、さらなる利点を有する。本発明によると、水安定性ＡＥＢＳＦを含む試薬カクテルは、ＰＭＳＦ保存溶液と比較して、予想外にも、長期安定性プロファイルを有する。ＡＥＢＳＦ含有試薬カクテルは、−２０℃で最大約６ヶ月間、または室温で約１週間、保存可能である。
【００５５】
本発明は、アンジオテンシン１定量アッセイのためのキットを企図する。本発明のアンジオテンシン１定量アッセイのためのキットは、少なくとも１つのアッセイのために十分な量のＡＥＢＳＦをリン酸緩衝生理食塩水溶液中に含むキットを含むことができる。また、本発明によって企図されるキットは、同位体標識内部標準物質およびマレイン酸を含んでいてもよい。キット内に分解標準物質を含むことが所望される場合、マレイン酸、ＡＥＢＳＦおよび分解標準物質を含む生成バッファーを含めることが可能である。典型的には、キットは、アンジオテンシン１の量を測定するために、パッケージ化された溶液を測定アッセイの際に使用するための有形形式（例えば、紙または電子媒体上に含有される）内に記録された指示を含んでいてもよい。
【００５６】
較正およびＱＣプールは、ウシ血清アルブミン４５ｍｇ／ｍＬを添加したリン酸緩衝生理食塩水からなる疑似血清を使用して調製された。測定可能量のアンジオテンシン１を含有しないヒトまたは非ヒト血漿または剥離血清の起源は同定されなかった。
【００５７】
典型的には、冷凍血漿試料および対照は、インキュベーション前に急速解凍され、プロレニンからレニンへの低温活性化を防止する。試料は、最大約３時間、３７℃でインキュベーションされた。得られた試料から満足のできるＰＲＡ測定値が得られない場合、インキュベーション時間は、最大約１８時間まで延長可能である。次いで、試料は、インキュベーションを停止するために、冷凍され（例えば、約−２０℃の温度まで）、分析までこの状態で保存される。本発明にしたがえば、血漿レニンは、変換酵素、分解標準物質（バリンおよびイソロイシン同位体標識アンジオテンシン１）、ならびにアンジオテンシナーゼ阻害剤（ＥＤＴＡおよびＡＥＢＳＦ）の存在下で、約１乃至２時間、ｐＨ５．７で、内因性レニン基質（アンジオテンシノゲン）とともに３７±１℃でインキュベーションすることができる。
【００５８】
インキュベーション終了後、試料は、ＬＣ精製前に、液液抽出または固相抽出が行われてもよい。本発明では、アンジオテンシン１の抽出は、（オンラインまたはオフラインのいずれかで）ＨＰＬＣと連結された好適な固相抽出カラムを利用して行う。好ましい実施形態によると、この方法は、インキュベーション後に各試料にギ酸を添加し、ＨＰＬＣ質量分析計と連結された固相抽出カラムに試料を直接負荷することを含む。
【００５９】
高性能液体クロマトグラフィー（ＨＰＬＣ）等の液体クロマトグラフィー（ＬＣ）は、比較的ゆっくりした層流の技術に依存する。従来のＨＰＬＣ分析は、カラム充填に依存しており、カラムを通る試料の層流が、試料からの着目検体の分離の基本となる。当業者は、そのようなカラム内の分離が拡散プロセスであることを理解しており、アンジオテンシン１に用いるのに好適なＨＰＬＣ装置およびカラムを選択することができる。クロマトグラフィーカラムは、典型的には、媒体（すなわち、充填成分）を含み、化学部分の分離（すなわち、分画）を促進する。媒体は、微粒子を含んでいてもよい。粒子は、種々の化学部分と相互作用する結合表面を含み、化学部分の分離を促進する。一つの好適な結合表面は、アルキル結合表面等の疎水性結合表面である。アルキル結合表面は、Ｃ−４、Ｃ−８、Ｃ−１２、またはＣ−１８結合アルキル基、好ましくは、Ｃ−８またはＣ−１８結合基を含んでいてもよい。クロマトグラフィーカラムは、連結されたＳＰＥカラムから試料を直接または間接的に受容するための流入ポートと、分画された試料を含む、流出物を排出するための流出ポートとを含む。一実施形態では、試料（または、予め精製された試料）は、流入ポートからカラムに適用され、溶媒または溶媒混合物を用いて溶離され、流出ポートから排出されることができる。着目検体を溶離するために、異なる溶媒モードが選択されてもよい。例えば、液体クロマトグラフィーは、勾配モード、等張モード、または多型（すなわち、混合）モードを使用して行われてもよい。クロマトグラフィーの際、成分の分離は、溶離剤（「移動相」としても知られる）、溶離モード、勾配条件、温度等の選択肢のような変数によって行われる。
【００６０】
ある実施形態では、検体は、着目検体はカラム充填成分によって可逆的に滞留されるが、１つ以上の他の成分は滞留されないという条件下で、カラムに試料を適用することによって精製することができる。これらの実施形態では、第１の移動相条件を用いてカラムによって着目検体を滞留させ、続いて、第２の移動相条件を用いて非滞留成分を洗い流した後に、滞留された成分をカラムから除去することができる。あるいは、検体は、着目検体が１つ以上の他の成分と比較して異なる速度で溶離する移動相条件下で、カラムに試料を適用することによって精製されてもよい。そのような手順により、１つ以上の着目検体の量を試料のうちの１つ以上の他の成分と比較して濃縮させることができる。
【００６１】
別の実施形態では、疎水性カラムクロマトグラフィーシステムのＨＰＬＣ前に、固相抽出（ＳＰＥ）カラムを用いることができる。ある好ましい実施形態では、ポリマー吸着剤を含むカラムが、ＨＰＬＣシステムとオンラインで連結されてもよい。ある好ましい実施
形態では、ＳＰＥカラムおよびＨＰＬＣによる試料の精製は、移動相として、水中０．１％のＨＰＬＣ等級超純粋ギ酸およびアセトニトリル中０．１％のギ酸を使用して行われてもよい。好ましくは、これらの実施形態で使用されるＳＰＥカラムは、血漿からアンジオテンシンの８０％超を回収可能である。
【００６２】
弁およびコネクタ配管の精選によって、１つ以上の固相抽出およびクロマトグラフィーカラムは、任意の手動ステップを必要とせずに成分が順次通過するように、必要に応じて接続することができる。好ましい実施形態では、弁および配管の選択は、予めプログラムされたコンピュータによって制御され、必要なステップを行う。最も好ましくは、クロマトグラフィーシステムはまた、検出器システム、例えば、ＭＳシステムにも、そのようなオンライン式で接続される。したがって、操作者は、自動試料注入器内に試料のトレイを定置し、残りの操作は、コンピュータ制御下で行われ、選択された全試料の精製および分析を行うことができる。
【００６３】
質量分析法は、断片化された試料をイオン化して、さらなる分析のために荷電分子を生成するためのイオン源を含む、質量分析計を使用して行われる。種々の実施形態では、試験試料中に存在するアンジオテンシン１は、当業者に知られる任意の方法によってイオン化することができる。例えば、試料のイオン化は、電子イオン化、化学イオン化、エレクトロスプレーオン化（ＥＳＩ）、光子イオン化、大気圧化学イオン化（ＡＰＣＩ）、光イオン化、大気圧光イオン化（ＡＰＰＩ）、高速原子衝撃（ＦＡＢ）、液体二次イオン化（ＬＳＩ）、マトリックス支援レーザー脱離イオン化（ＭＡＬＤＩ）、電界イオン化、電界脱離、サーモスプレー／プラズマスプレーイオン化、表面増強レーザー脱離イオン化（ＳＥＬＤＩ）、誘導結合プラズマ（ＩＣＰ）、および粒子ビームイオン化によって行うことができる。当業者は、イオン化方法の選択肢が、測定される検体、試料の種類、検出器の種類、正対負モードの選択等に基づいて決定しうることを理解するであろう。
【００６４】
好ましい実施形態では、アンジオテンシン１は、エレクトロスプレーオン化（ＥＳＩ）またはマトリックス支援レーザー脱離イオン化（ＭＡＬＤＩ）によってイオン化されてもよい。さらに好ましい実施形態では、アンジオテンシン１は、正モードにおいて、加熱エレクトロスプレーオン化（ＨＥＳＩ）によってイオン化される。
【００６５】
試料がイオン化された後、それによって生成された正荷電または負荷電イオンを分析し、質量対電荷比を決定することができる。質量対電荷比を決定するための好適な分析器としては、三連四重極分析器、四重極分析器、イオントラップ分析器、フーリエ変換分析器、オービトラップ分析器、および飛行時間分析器が挙げられる。イオンは、いくつかの検出モードを使用して検出することができる。例えば、選択されたイオンは、走査モード、例えば、高選択性反応モニタリング（Ｈ−ＳＲＭ）、多重反応モニタリング（ＭＲＭ）、または選択的反応モニタリング（ＳＲＭ）を使用して検出されてもよく、あるいは、イオンは、選択的イオンモニタリングモード（ＳＩＭ）を使用して検出されてもよい。好ましくは、質量対電荷比は、三連四重極分析器を使用して決定される。例えば、「四重極」または「四重極イオントラップ」装置では、振動高周波電界内のイオンは、電極間に印加されるＤＣ電位、ＲＦ信号の振幅、および質量／電荷比に比例する力を受ける。電圧および振幅は、特定の質量／電荷比を有するイオンのみが四重極の全長にわたって移動するが、他の全イオンは偏向されるように選択することができる。したがって、四重極装置は、装置内に注入されるイオンの「質量フィルタ」および「質量検出器」の両方として作用することができる。３つの四重極の線系列は、三連四重極質量分析計として知られる。第１（Ｑ１）および第３（Ｑ３）の四重極は、質量フィルタとして作用し、中間の（Ｑ２）四重極は、衝突セルとして用いられる。この衝突セルは、Ｈｅ、Ａｒ、またはＮガス（〜１０-3Ｔｏｒｒ、〜３０ｅＶ）を使用して、Ｑ１から選択された親イオンの衝突解離を誘起する、ＲＦのみの四重極（非質量濾過）である。次に断片は、Ｑ３へと通り、ここで完全に
濾過または走査されてもよい。
【００６６】
「タンデム質量分析法」または「ＭＳ／ＭＳ」を用いることによって、ＭＳ技術の選択性を向上させることができる。この技術では、着目分子から生成される前駆体イオン（親イオンとも呼ばれる）は、ＭＳ装置内で濾過され、続いて前駆体イオンは断片化されて１つ以上の断片イオン（娘イオンまたは生成物とも呼ばれる）を生じ、次にこれは第２のＭＳ手順において分析される。前駆体イオンを精選すると、ある検体によって生成されるイオンのみが分画チャンバを通過し、ここで不活性ガスの原子との衝突によって断片イオンが生成する。前駆体および断片イオンの両方とも、所与の一連のイオン化／断片化条件下で、再現可能なように生成されるため、ＭＳ／ＭＳ技術は、非常に強力な分析ツールを提供し得る。例えば、濾過／分画の組み合わせを使用して、干渉物質を排除することができ、生物学的試料等の複雑な試料において特に有用であり得る。
【００６７】
質量分析計は、典型的には、ユーザーに、イオン走査、すなわち、所与の範囲（例えば、１００乃至１０００ａｍｕ）にわたる、特定の質量／電荷を有する各イオンの相対存在度を提供する。検体アッセイの結果、すなわち、質量スペクトルは、当技術分野において知られる多数の方法によって、原試料中の検体の量と関連付けることができる。例えば、試料採取および分析パラメータを注意深く制御すると、所与のイオンの相対存在度を、その相対存在度を元の分子の絶対量に変換するテーブルと比較することができる。あるいは、分子標準物質を試料とともに分析し、それらの標準物質から生成されたイオンに基づいて標準曲線を構築してもよい。そのような標準曲線を使用して、所与のイオンの相対存在度を元の分子の絶対量に変換することができる。ある好ましい実施形態では、アンジオテンシン１の量を計算するために、内部標準物質を使用して標準曲線を生成する。そのような標準曲線を生成および使用する方法は、当技術分野において知られており、当業者は適切な内部標準物質を選択可能である。例えば、同位体標識アンジオテンシン１が内部標準物質として使用されてもよい。ある好ましい実施形態では、標準物質は同位体標識アンジオテンシン１であり、そのバリンサブユニットは、炭素原子が13Ｃ同位体と置換され、窒素原子が15Ｎ同位体と置換されたバリンで完全に置き換えられたものである。イオンの量を元の分子の量と関連付けるための多数の他の方法は、当業者には知られているであろう。
【００６８】
前駆体イオンがさらなる断片化のために単離されるＭＳ／ＭＳ等の実施形態では、多くの場合、衝突活性化解離を使用して、さらなる検出のために断片イオンを生成する。ＣＡＤでは、前駆体イオンは、不活性ガスとの衝突によりエネルギーを得て、続いて、「単分子分解」と称されるプロセスによって断片化する。イオン内のある結合が振動エネルギーの増加によって破壊され得るように、十分なエネルギーが前駆体イオン内に蓄積されなければならない。
【００６９】
特に好ましい実施形態では、アンジオテンシン１は、以下のように、ＭＳ／ＭＳを使用して定量化される。試料を、液体クロマトグラフィーに供し、好ましくは固相抽出カラムに続いてＨＰＬＣに供し、クロマトグラフィーカラムからの液体溶媒の流れは、ＭＳ／ＭＳ分析器の加熱された噴霧器界面に入り、界面の加熱された管内で溶媒／検体混合物が蒸気に変換される。噴霧された溶媒中に含まれる検体（例えば、アンジオテンシン１）は、噴霧された溶媒／検体混合物に高電圧を印加する界面のコロナ放電ニードルによってイオン化される。イオン、例えば、前駆体イオンは、装置の開口を通過し、第１の四重極に入る。四重極１および３（Ｑ１およびＱ３）は質量フィルタであって、その質量対電荷比（ｍ／ｚ）に基づいて、イオン（すなわち、「前駆体」および「断片」イオン）の選択を可能にする。四重極２（Ｑ２）は、衝突セルであって、ここでイオンが断片化される。質量分析計（Ｑ１）の第１の四重極は、アンジオテンシン１の質量対電荷比をもつ分子を選択する。正確な質量／電荷比のアンジオテンシン１を有する前駆体イオンは、衝突チャンバ
（Ｑ２）内へと通過することができるが、任意の他の質量／電荷比を有する望ましくないイオンは、四重極の両側に衝突して排除される。Ｑ２に流入する前駆体イオンは、中性衝突ガス分子、例えば、アルゴンガス分子と衝突し、断片化する。このプロセスは、衝突活性化解離（ＣＡＤ）と呼ばれる。生成された断片イオンは、四重極３（Ｑ３）内へと通過し、ここでは、アンジオテンシン１の断片イオンが選択されるが、他のイオンは排除される。
【００７０】
この方法は、正または負イオンモードのいずれかで行われるＭＳ／ＭＳを含むことができる。当技術分野において知られる標準方法を使用して、当業者は、四重極３（Ｑ３）内での選択のために使用され得る、アンジオテンシン１の特定の前駆体イオンの１つ以上の断片イオンを特定することができる。
【００７１】
イオンが検出器と衝突すると、イオンはデジタル信号に変換される電子のパルスを生成する。取得されたデータは、コンピュータに中継され、収集されたイオン数対時間としてプロットされる。得られた質量クロマトグラムは、従来のＨＰＬＣ法で生成されるクロマトグラムに類似する。特定のイオンに対応するピーク下の面積、またはそのようなピークの振幅が測定され、その面積または振幅は、着目検体（アンジオテンシン１）の量と相関する。ある実施形態では、断片イオンおよび／または前駆体イオンの曲線下の面積あるいはピークの振幅を測定して、アンジオテンシン１の量を決定する。上述のように、所与のイオンの相対存在度は、同位体標識アンジオテンシン１等の内部分子標準物質の１つ以上のイオンのピークに基づく較正標準曲線を使用して、元の検体、例えば、アンジオテンシン１の絶対量に変換されてもよい。
【００７２】
これらのデータは、コンピュータに中継され、イオン数対時間のプロットとして生成されてもよい。ピーク下の面積が決定され、Ａｎｇ１／内部標準物質の標準物質濃度対ピーク面積比をプロットすることによって、較正曲線が構築される。較正曲線を使用して、試料中のアンジオテンシン１および選択された内部標準物質の量が決定される。所与の時間にわたるアンジオテンシン１の形成速度、すなわち、試料のインキュベーションの間に形成されるアンジオテンシン１の量は、これらの測定値から計算可能である。この速度は、試料中のレニン活性の指標である。
【００７３】
データ還元の基礎プロセスは、手動でまたはコンピュータソフトウェアの補助により行うことが可能である。以下の計算に従って、血漿の希釈および生成時間を考慮して、最終ＰＲＡ値を決定する：
【数１】
2014013258.tif 000003
式中、ｘは血漿試料（plasma）の体積、ｙは添加される緩衝剤（buffer）の体積、およびｚは試料のインキュベーション時間（hours）である。
【００７４】
次いで、ｎｇ／ｍＬとして報告されたＬＣ定量化による結果をｆで乗じ、毎時ｍＬあたりのｎｇにおけるＰＲＡアッセイの補正測定値を求める。最終結果gaアッセイの線形範囲に入るよう試料が希釈されている場合、最終結果にも希釈度を乗じる。
【００７５】
ある血漿試料は、高活性度を保有し、アンジオテンシン１の生成後にこれを分解する。ある実施形態では、分解標準物質を使用して、その生成後のアンジオテンシン１の分解度を測定してもよい。これらの実施形態では、分解標準物質は、インキュベーション前に試料に添加される。内部標準物質は、インキュベーション後、質量分析の前に添加される。分解度は、分解標準物質の観察量と内部標準物質の観察量との比較によって決定すること
ができる。分解標準物質は、１つ以上の13Ｃおよび／または15Ｎ標識アミノ酸が組み込まれた合成ペプチドであってもよい。これは、イオン化されたときに、非標識アンジオテンシン１および内部標準物質のイオン化により生成されるイオンとは異なるｍ／ｚを有する、少なくとも１つのイオンを生成する。そのような実施形態における分解係数の計算は、さらなる考慮を必要とする。％分解は、以下のように計算することができる。
【００７６】
最初に、３つのＢｉｏ−Ｒａｄ  ＱＣ試料について、分解標準物質（ＤＳ）と分析内部標準物質（ＩＳ）の平均面積比を計算することによって、ベースライン比（ＢＲ）を計算する。
【数２】
2014013258.tif 000004
【００７７】
次いで、各患者試料の％分解を計算する。
【数３】
2014013258.tif 000005
【００７８】
以下の実施例は、本発明を例証するのに役立つ。これらの実施例は、この方法の範囲を限定するものとして意図されるものではない。
【実施例】
【００７９】
実施例１：試料および試薬の調製
試薬：アンジオテンシン１、フッ化アミノエチルベンジルスルホニル（ＡＥＢＳＦ）、ウシ血清アルブミン（プロテアーゼ無し）、無水マレイン酸、リン酸緩衝生理食塩水錠剤（ＰＢＳ錠剤）、ギ酸、およびＢｉｏ−Ｒａｄ  Ｌｙｐｈｏｃｈｅｃｋ対照は、それぞれの供給者から購入した。同位体標識Ａｎｇ１標準物質はカスタム合成した。内部標準物質は、質量差＋６Ｄａとなるように、天然バリンを13Ｃおよび15Ｎ原子を含有するバリンと全置換した単一同位体標識Ａｎｇ１である。同様に、アッセイで使用される分解標準物質は、質量差＋１３Ｄａとなるように、天然バリンとイソロイシンを13Ｃおよび15Ｎ原子を含有するバリンとイソロイシンと全置換した二重同位体標識Ａｎｇ１である。
【００８０】
分析内部標準物質（分解標準物質を含む）は、１つ以上の13Ｃおよび／または15Ｎ標識アミノ酸を包含する合成ペプチドであってもよい。本実施例で使用される内部標準物質の一次配列は、バリン同位体標識Ａｎｇ１（ＤＲ［Ｖ15Ｎ，13Ｃ］ＹＩＨＰＦＨＬ）である。合成は、２−５ｍｇの規模で行い、最終純度仕様＞９５％とした。ペプチドは、個々のアリコートに封入し、総ペプチド含有量をバイアルあたり２ｎｍｏｌとした。加えて、バリンおよびイソロイシン同位体標識Ａｎｇ１を含む分解標準物質、すなわち、ＤＲ［Ｖ15Ｎ，13Ｃ］Ｙ［Ｉ15Ｎ，13Ｃ］ＨＰＦＨＬを調製した。合成は、２−５ｍｇの規模で行い、最終純度仕様＞９５％とした。ペプチドは、個々のアリコートに封入し、総ペプチド含有量をバイアルあたり２ｎｍｏｌとした。
【００８１】
検査全体を通して、２回蒸留脱イオン化水、ＨＰＬＣ用メタノールおよびアセトニトリルとを使用した。以下の手順に従って、疑似血清を調製した。最初に、ＰＢＳ２錠とともに、３００ｍＬの水をメスシリンダーに加えた。次いで、２２．５ｇのウシ血清アルブミンを添加し、完全に混合した。次に、０．０２ｇのＡＥＢＳＦを添加し、完全に混合した。最後に、最終体積５００ｍＬになるのに十分な水を添加した。
【００８２】
生成カクテル、すなわち、インキュベーション溶液の調製は、所与のアッセイ設定における試料の数に依存する。表１（以下）に示される体積は、移動のための十分な体積を確保するために、余剰分２０％を含む。マレイン酸、ＡＥＢＳＦ、および分解標準物質（例えば、ＤＲ［Ｖ15Ｎ，13Ｃ］Ｙ［Ｉ15Ｎ，13Ｃ］ＨＰＦＨＬ）を、１５ｍＬのＰＰ管内で混合した。
【００８３】
【表１】
2014013258.tif 000006
【００８４】
ＡＥＢＳＦ保存溶液の安定性を評価した。０．９１グラムのＡＥＢＳＦ粉末を１５ｍＬのコーニング（Ｃｏｒｎｉｎｇ）管に入れ、１０ｍＬのペプチド溶媒に溶解させた。この溶液の０．５ｍＬのアリコートを、１．５ｍＬのヌンク（Ｎｕｎｃ）クリオバイアルに入れた。このように保存することによって、溶液は、−２０℃で保存した時に最大約６ヶ月、室温で保存した時に約１週間、安定であることが認められた。
【００８５】
実施例２：較正物質および対照
疑似血清を使用したマトリクスに既知の量のアンジオテンシン１を注入することによって、較正物質を調製した。較正系の濃度は、０．０（空包）、０．１４、０．２７、１．１、２．１９、８．７９、３５．１５、および４３．２ｎｇ／ｍＬとした。ＱＣプールは、１．１、８．７、および３５ｎｇ／ｍＬで調製した。対照は、ＢｉｏＲａｄから入手し、高、中、低レニン活性の試料からなる。品質保証のために、ＱＣプールおよび較正物質は、各試料バッチごとに用いた。
【００８６】
実施例３：生成のための試料調製
送風機または室温水浴を使用して、凍結試料を急速に室温に戻した。急速解凍は、プロレニンからレニンへの低温活性化を防止するために重要であるため、標本を断続的に反転されて解凍プロセスを加速させた。解凍後、試料を室温で静置した。全血漿試料は、試験前に十分にボルテックスした。
【００８７】
実施例４：インキュベーション手順
２５０ｕＬのＥＤＴＡ血漿を、２５ｕＬの生成カクテル（マレイン酸０．２７５Ｍ、ＡＥＢＳＦ１ｍＭ、分解標準物質４ｕＭ）と混合した。約１−３時間、約３７℃で試料をインキュベーションし、続いて、２ｕＭの分析内部標準物質を含有する略等体積の１０％ギ酸と混合した。
【００８８】
実施例５：試験試料からのアンジオテンシンＩの精製
クロマトグラフィーステップはすべて、Ｃｏｈｅｓｉｖｅ  ＴＬＸ４経路式システムを使用して実行された。
【００８９】
溶媒Ａ（水中０．１％ギ酸）を使用した２．１ｍｍｘ２０ｍｍ  ２５ｕＭ  ＨＬＢ抽出カートリッジに、１００ｕＬの酸性化した試料を注入した。抽出カートリッジを、溶媒Ａ（水中０．１％ギ酸）と溶媒Ｂ（アセトニトリル中０．１％ギ酸）の８０：２０混合物１
００ｕＬを使用して、溶離させた。溶出液を溶媒Ａと１：３の比率で混合し、２．１ｍｍｘ５０ｍｍ５ｕＭ  Ｘｂｒｉｄｇｅ  １３０  ＢＥＨ分析カラムに適用した。検体を分析カラムに移した後、９５％Ａ乃至６５％溶媒Ａの勾配を作成した。勾配の間の適切な時間において、流れを廃棄物から変えて質量分析計に向けた。次の注入前に、抽出カートリッジおよび分析カラムの両方を洗浄し、その場で再平衡化した。
【００９０】
実施例６：ＭＳ／ＭＳによるアンジオテンシン１の検出および定量
正イオンモードにおいて、ＨＥＳＩ（加熱エレクトロスプレーイオン化）源を備えるＴＳＱ  Ｑｕａｎｔｕｍ  Ｕｌｔｒａを使用して、ＭＳ／ＭＳを行った。検体および内部標準物質の定量的分析のために、選択的反応モニタリングを使用した。検体、分析内部標準物質、および分解標準物質それぞれに対して、２つずつ、６つの遷移をモニタリングした。検体と内部標準物質との間のピーク面積比を、一連の既知のアンジオテンシン１保存物に対して較正し、次いで、１／ｘ加重線形回帰を使用して、較正曲線を構築した。選択されたＭＳ／ＭＳパラメータを、以下の表２に列挙する。
【００９１】
【表２】
2014013258.tif 000007
【００９２】
イオンを、質量対電荷比４３３．０±０．５ｍ／ｚ［Ｍ＋３Ｈ］3+を有するイオンを選択するように設定された第１の四重極（Ｑ１）を通過させた。四重極２（Ｑ２）に流入するイオンをアルゴンガスと衝突させて、イオン画分を生成し、さらなる選択のために、四重極３（Ｑ３）に通した。同時に、同位体希釈質量分析法を使用した同一プロセスを、同位体標識アンジオテンシン１内部標準物質または同位体標識アンジオテンシン１分解標準物質について行った。正極性での検証の際には、検出および定量のために、以下の質量遷移を使用した。
【００９３】
【表３】
2014013258.tif 000008
【００９４】
これらのデータは、コンピュータに中継され、イオン数対時間のプロットを生成した。ピーク下の面積を測定し、検体／内部標準物質の標準濃度対ピーク面積比をプロットすることによって、較正曲線を構築した。較正曲線を使用して、アンジオテンシン１および選択された内部標準物質の濃度を試料に対して定量化した。例示的較正曲線を図３に示す。それぞれ、低濃度較正物質のＡｎｇ１（ｍ／ｚ＝４３３．０±０．５）、内部標準物質（ｍ／ｚ＝４３４．８±０．５）、および分解標準物質（ｍ／ｚ＝４３７．３±０．５）の例示的質量クロマトグラムを、図４Ａ、Ｂ、ならびにＣに示す。同様に、図５Ａ、Ｂ、およびＣは、それぞれ、０．１ｎｇ／ｍＬ／時間ＰＲＡを示す患者試料のＡｎｇ１（ｍ／ｚ＝４３３．０±０．５）、内部標準物質（ｍ／ｚ＝４３４．８±０．５）、ならびに分解標準物質（ｍ／ｚ＝４３７．３±０．５）の例示的質量クロマトグラムを示す。
【００９５】
実施例７：アッセイ内およびアッセイ間の精度と正確度
単回アッセイにおいて、３つのＱＣプールのそれぞれから８つのアリコートを分析し、アッセイ内の試料の再現性（ＣＶ）を判定した。以下の値が測定された。
【００９６】
【表４】
2014013258.tif 000009
【００９７】
実施例８：分析感度：検出限界（ＬＯＤ）および定量限界（ＬＯＱ）
検出限界（ＬＯＤ）は、測定値がその付随する不確定性を上回る点である。アンジオテンシン１ゼロ標準物質を１７回複製し、得られた面積比を、較正物質に基づいて濃度に逆算し、アッセイの検出限界を決定した。アンジオテンシン１アッセイの検出限界（ＬＯＤ）は、３０ｆｍｏｌ／ｍＬであった。
【００９８】
精度２０％および正確度８０％乃至１２０％で、定量限界（ＬＯＱ）を決定するために、予測されるＬＯＱと近濃度の５つの異なる試料をアッセイし、それぞれに対して、再現性を測定した。アンジオテンシン１アッセイのＬＯＱは、０．０３ｎｇ／ｍＬであった。
【００９９】
実施例９：アッセイ報告可能範囲および線形性
アッセイにおいて、アンジオテンシン１検出の線形性を確立するために、ゼロ標準物質として割り当てられた１つの空包と、８つの人工血清注入試料（較正物質）を調製し、連続しない５日間にわたって分析した。連続５回の加重（１／ｘ）線形回帰分析から、相関係数０．９９５以上が得られ、正確度±２０％で、７７乃至１００，０００ｆｍｏｌ／ｍＬの定量化可能な線形範囲を示した。
【０１００】
実施例１０：３時間インキュベーションの血漿レニン活性の計算
３時間インキュベーションに対して、データ還元の基礎プロセスを行った。以下の計算に従って、上述の実施例３−９で分析された試料の最終ＰＲＡ値を決定する際、血漿の希釈および生成時間を考慮した。
【数４】
2014013258.tif 000010
【０１０１】
次いで、ｎｇ／ｍＬとして報告されたＬＣ定量化の結果を０．３６７で乗じ、毎時ｍＬあたりのｎｇとして、ＰＲＡアッセイの補正測定値を求めた。この特定の実施例では、追加補正は必要なかったが、最終結果をアッセイの線形範囲に組み入れるために試料が希釈されている場合には、最終結果にも希釈度を乗じる。
【０１０２】
本明細書に記述または引用された論文、特許、特許出願、ならびに他の全文書および電子的に利用可能な情報の内容は、各個々の刊行物が参照により具体的かつ個々に組み入れられるように示される場合と同程度において、参照により全体として本明細書に援用される。出願人は、いずれのそのような論文、特許、特許出願、または他の物理的および電子的文書からのあらゆる内容および情報も、物理的に本明細書に援用する権利を留保する。
【０１０３】
本明細書に例証的に説明された方法は、本明細書に具体的には開示されていない、いずれの要素または複数の要素、限定あるいは複数の限定の不在下であっても、好適に実践され得る。したがって、例えば、用語「ｃｏｍｐｒｉｓｉｎｇ（含む）」、「ｉｎｃｌｕｄｉｎｇ（含む）」、「ｃｏｎｔａｉｎｉｎｇ（含有する）」等は、限定されることなく、広義に捉えられるものとする。加えて、本明細書で使用される用語および表現は、限定ではなく、説明の観点から使用されており、そのような用語および表現の使用において、図示および説明される特徴またはその一部のいずれの同等物も除外することを意図するものではない。請求される発明の範囲内において種々の修正が可能であることを認識されたい。したがって、本発明は、好ましい実施形態および任意の特徴によって具体的に開示されているが、当業者は、本明細書に開示され具現化される本発明の修正および変形例をなすことができ、そのような修正および変形例は、本発明の範囲内であるとみなされることが理解される。
【０１０４】
本発明は、本明細書において、広義かつ一般的に説明されている。一般的開示内の狭義の種および亜属群のそれぞれもまた、この方法の一部を形成するものである。これには、削除される成分が本明細書に具体的に列挙されているかどうかにかかわらず、分類群から任意の対象物を除去するという条件付きまたは消極的限定付きで、この方法の一般的説明も含まれる。
【０１０５】
他の実施形態も、以下の請求項の範囲内である。加えて、この方法の特徴または側面がマーカッシュグループの観点から説明される場合、当業者は、本発明は、それによって、マーカッシュグループの任意の個々の部材または亜群の観点からも説明されることを認識
するであろう。
【図１】
2014013258.tif 000011
【図２】
2014013258.tif 000012
【図３】
2014013258.tif 000013
【図４】
2014013258.tif 000014
【図５】
2014013258.tif 000015
【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
試料中のアンジオテンシン１の量を測定するための方法であって、
（ａ）レニンを含む試料をレニンに対して有効ではない水安定性プロテアーゼ阻害剤と混合するステップと、
（ｂ）レニンが試料中にアンジオテンシン１を生成するのに適した条件下で、前記試料をインキュベーションするステップと、
（ｃ）液体クロマトグラフィーによって、前記試料からアンジオテンシン１を精製するステップと、
（ｄ）精製したアンジオテンシン１をイオン化して、質量分析法によって検出可能な１つ以上のイオンを生成するステップと、
（ｅ）質量分析法によって、イオンの量を検出するステップであって、検出された前記イオンの量を使用して、前記試料中に生成したアンジオテンシン１の量を測定するステップと、
を含む方法。
【請求項２】
前記試料中のアンジオテンシン１の量に基づいて、試料中のレニンの活性を測定するステップをさらに含む、請求項１に記載の方法。
【請求項３】
前記水安定性プロテアーゼ阻害剤は、フッ化アミノエチルベンジルスルホニル（ＡＥＢＳＦ）である、請求項１または２に記載の方法。
【請求項４】
前記イオンは、４３３．０±０．５、６１９．４±０．５、６４７．４±０．５、および１２９７±０．５の質量／電荷比をもつイオンから成る群から選択される１つ以上のイオンを含む、請求項１−３のいずれか１項に記載の方法。
【請求項５】
前記イオン化ステップは、４３３．０±０．５の質量／電荷比をもつ前駆体イオンを生成するステップと、６１９．４±０．５または６４７．４±０．５の質量／電荷比をもつイオンから成る群から選択される、１つ以上の断片イオンを生成するステップとを含む、請求項１−４のいずれか１項に記載の方法。
【請求項６】
前記液体クロマトグラフィーは固相抽出カラムを含む、請求項１−５のいずれか１項に記載の方法。